(57)【要約】ローラブル型ディスプレイスクリーンの構造は、メインベースの少なくとも一側に肉抜き部が設けられ、当該メインベース内部には、当該肉抜き部の２つの脇側に沿って２つのガイド部品が対称して設けられ、少なくとも１つの駆動部品は当該メインベース内に組み込まれ、当該駆動部品は動力源を有し、当該駆動部品を駆動して当該ガイド部品に沿って移動させることができ、フレキシブルスクリーンは、少なくとも一側が少なくとも１つの回転軸の外周側に巻き付けられ、当該回転軸は、当該駆動部品の脇側に回動可能に設置されて連動を形成し、当該駆動部品は当該回転軸を連動させて当該ガイド部品に沿ってメインベースの外へ移動させる場合、当該フレキシブルスクリーンを当該回転軸の外周側から徐々にリリースして外側に展開させることができ、その反対に、当該駆動部品は当該回転軸を連動させて当該メインベース内に徐々に移動させて、当該回転軸で当該フレキシブルスクリーンを巻き上げる。【選択図】図８
2021513669.tif 000002
【特許請求の範囲】
【請求項１】
外へ開放する肉抜き部を少なくとも有し、内部に当該肉抜き部の脇側に沿ってガイド部品がそれぞれ対称して設けられる中空のメインベースと、
当該メインベース内に組み込まれ、当該ガイド部品に沿って当該メインベースの外まで移動して展開することができる少なくとも１つの駆動部品と、
少なくとも１つの回転軸の外周側に巻き付けられるフレキシブルスクリーンとを含み、当該回転軸は、当該駆動部品に回動可能に設置され、優先的に当該メインベースの脇側から移出して連動を形成することができ、当該駆動部品が当該回転軸を連動させて当該ガイド部品に沿ってメインベースの外へ移動する場合、当該フレキシブルスクリーンを当該回転軸の外周側から徐々にリリースして外側に展開させることができる、ローラブル型ディスプレイスクリーンの構造。
【請求項２】
当該駆動部品は、当該駆動部品を駆動して当該ガイド部品に沿って移動させることができる動力源を有する請求項１に記載のローラブル型ディスプレイスクリーンの構造。
【請求項３】
当該メインベースは、２つの対向する第１及び第２の肉抜き部を有し、当該メインベースの内部には、当該第１の肉抜き部の２つの脇側に沿って２つの順方向ガイド部品が対称して設けられ、当該メインベース内部には、当該第２の肉抜き部の２つの脇側に沿って当該順方向ガイド部品とは逆方向に延びる２つの逆方向ガイド部品が対称して設けられ、２つの駆動部品は当該メインベース内に組み込まれ、各当該駆動部品は、動力源をそれぞれ有し、当該２つの駆動部品を駆動してそれぞれ当該正、逆方向ガイド部品に沿って移動させることができ、フレキシブルスクリーンは、両側が第１及び第２の回転軸の外周側にそれぞれ巻き付けられ、当該第１及び第２の回転軸は、当該２つの駆動部品の脇側にそれぞ回動可能に設置されて連動を形成し、当該２つの駆動部品は当該第１及び第２の回転軸を連動させて当該正、逆方向ガイド部品に沿ってメインベースの外へ移動させる場合、当該フレキシブルスクリーンを当該第１及び第２の回転軸の外周側から徐々にリリースして外側に展開させることができる請求項２に記載のローラブル型ディスプレイスクリーンの構造。
【請求項４】
当該メインベースは、当該第１の肉抜き部の２つの脇側に第１の側翼部がそれぞれ枢設され、当該２つの第１の側翼部は、内へ折り畳まれて、当該第１の肉抜き部にカバーすることができ、その反対に、外へ展開して、当該第１の肉抜き部を開放することができ、当該第２の肉抜き部の２つの脇側に第２の側翼部がそれぞれ枢設され、当該２つの第２の側翼部は、内へ折り畳まれて、当該第２の肉抜き部にカバーすることができ、その反対に、外へ展開して、当該第２の肉抜き部を開放することができる請求項３に記載のローラブル型ディスプレイスクリーンの構造。
【請求項５】
当該２つの第１の側翼部には、折り畳む時、第１の肉抜き部の一側面に向けて、当該順方向ガイド部品の脇側に繋がる第１の側ガイドランナーがそれぞれ設けられ、これらの第１の側翼部が外へ水平に伸張する場合、当該第１の側ガイドランナーは、第１の回転軸の両端に対して当該順方向ガイド部品に繋がる摺動案内を形成することができ、当該２つの第２の側翼部には、折り畳む時、第２の肉抜き部の一側面に向けて、当該逆方向ガイド部品の脇側に繋がる第２の側ガイドランナーがそれぞれ設けられ、これらの第２の側翼部が外へ水平に伸張する場合、当該第２の側ガイドランナーは、第２の回転軸の両端に対して当該逆方向ガイド部品に繋がる摺動案内を形成することができる請求項４に記載のローラブル型ディスプレイスクリーンの構造。
【請求項６】
これらの第１及び第２のガイドランナーは、それぞれ当該メインベースから離れる一端に、オフセット空間を有する位置決め部が形成され、それぞれの当該位置決め部は端部が面一して当該メインベースの前又は後側の外へ突き出す請求項５に記載のローラブル型ディスプレイスクリーンの構造。
【請求項７】
それぞれの当該駆動部品は、当該動力源に駆動される１組の連動部品がそれぞれ設けられ、かつそれぞれの当該組の連動部品は、当該正、逆方向ガイド部品に組み込まれている請求項３から６のいずれか１項に記載のローラブル型ディスプレイスクリーンの構造。
【請求項８】
当該正、逆方向ガイド部品は、それぞれ互いに反対方向に並べた正、逆方向ラックであり、これらの動力源はモータであり、これらの連動部品は、これらのモータに駆動され当該正、逆方向ラックに噛み合う出力ギアである請求項７に記載のローラブル型ディスプレイスクリーンの構造。
【請求項９】
当該２つの駆動部品は、それぞれ２つの並列したメインブラケットを有し、当該第１及び第２の回転軸は、それぞれ両端部に近い部位において回転軸ブラケットがそれぞれ枢設され、かつ当該第１の回転軸の回転軸ブラケットは、一方の駆動部品の２つのメインブラケットに枢着され、当該第２の回転軸の回転軸ブラケットは、他方の駆動部品の２つのメインブラケットに枢着され、かつそれぞれの当該回転軸ブラケットは、枢着されるメインブラケットに対して枢動の弾性を有し、当該第１及び第２の回転軸の回転軸ブラケットは当該フレキシブルスクリーンの両側に引張弾性を発生し、当該フレキシブルスクリーンは完全に展開した後緊張平坦状態を維持できることを確保する請求項３から６のいずれか１項に記載のローラブル型ディスプレイスクリーンの構造。
【請求項１０】
当該２つの駆動部品は、それぞれ２つの並列したメインブラケットを有し、当該第１及び第２の回転軸は、それぞれ両端部に近い部位において回転軸ブラケットがそれぞれ枢設され、かつ当該第１の回転軸の回転軸ブラケットは、一方の駆動部品の２つのメインブラケットに枢着され、当該第２の回転軸の回転軸ブラケットは、他方の駆動部品の２つのメインブラケットに枢着され、かつそれぞれの当該回転軸ブラケットは、枢着されるメインブラケットに対して枢動の弾性を有し、当該第１及び第２の回転軸の回転軸ブラケットは当該フレキシブルスクリーンの両側に引張弾性を発生し、当該フレキシブルスクリーンは完全に展開した後緊張平坦状態を維持できることを確保する請求項７に記載のローラブル型ディスプレイスクリーンの構造。
【請求項１１】
当該２つの駆動部品は、それぞれ２つの並列したメインブラケットを有し、当該第１及び第２の回転軸は、それぞれ両端部に近い部位において回転軸ブラケットがそれぞれ枢設され、かつ当該第１の回転軸の回転軸ブラケットは、一方の駆動部品の２つのメインブラケットに枢着され、当該第２の回転軸の回転軸ブラケットは、他方の駆動部品の２つのメインブラケットに枢着され、かつそれぞれの当該回転軸ブラケットは、枢着されるメインブラケットに対して枢動の弾性を有し、当該第１及び第２の回転軸の回転軸ブラケットは当該フレキシブルスクリーンの両側に引張弾性を発生し、当該フレキシブルスクリーンは完全に展開した後緊張平坦状態を維持できることを確保する請求項８に記載のローラブル型ディスプレイスクリーンの構造。
【請求項１２】
当該メインベースは、２つの平行に並列されている第１及び第２のフレームストリップを有し、かつ当該第１及び第２のフレームストリップの２つの脇側には第１及び第２の側板がそれぞれ貼り付けられて、当該第１及び第２のフレームストリップと当該第１及び第２の側板との間に中空の収容スペースが形成され、当該収容スペースは、当該第１及び第２のフレームストリップの間の２つの脇側に当該第１及び第２の肉抜き部がそれぞれ形成されている請求項３から６のいずれか１項に記載のローラブル型ディスプレイスクリーンの構造。
【請求項１３】
当該メインベースは、２つの平行に並列されている第１及び第２のフレームストリップを有し、かつ当該第１及び第２のフレームストリップの２つの脇側には第１及び第２の側板がそれぞれ貼り付けられて、当該第１及び第２のフレームストリップと当該第１及び第２の側板との間に中空の収容スペースが形成され、当該収容スペースは、当該第１及び第２のフレームストリップの間の２つの脇側に当該第１及び第２の肉抜き部がそれぞれ形成されている請求項７に記載のローラブル型ディスプレイスクリーンの構造。
【請求項１４】
当該メインベースは、２つの平行に並列されている第１及び第２のフレームストリップを有し、かつ当該第１及び第２のフレームストリップの２つの脇側には第１及び第２の側板がそれぞれ貼り付けられて、当該第１及び第２のフレームストリップと当該第１及び第２の側板との間に中空の収容スペースが形成され、当該収容スペースは、当該第１及び第２のフレームストリップの間の２つの脇側に当該第１及び第２の肉抜き部がそれぞれ形成されている請求項８に記載のローラブル型ディスプレイスクリーンの構造。
【請求項１５】
当該メインベースは、２つの平行に並列されている第１及び第２のフレームストリップを有し、かつ当該第１及び第２のフレームストリップの２つの脇側には第１及び第２の側板がそれぞれ貼り付けられて、当該第１及び第２のフレームストリップと当該第１及び第２の側板との間に中空の収容スペースが形成され、当該収容スペースは、当該第１及び第２のフレームストリップの間の２つの脇側に当該第１及び第２の肉抜き部がそれぞれ形成されている請求項９に記載のローラブル型ディスプレイスクリーンの構造。
【請求項１６】
当該メインベースは、２つの平行に並列されている第１及び第２のフレームストリップを有し、かつ当該第１及び第２のフレームストリップの２つの脇側には第１及び第２の側板がそれぞれ貼り付けられて、当該第１及び第２のフレームストリップと当該第１及び第２の側板との間に中空の収容スペースが形成され、当該収容スペースは、当該第１及び第２のフレームストリップの間の２つの脇側に当該第１及び第２の肉抜き部がそれぞれ形成されている請求項１０に記載のローラブル型ディスプレイスクリーンの構造。
【請求項１７】
当該メインベースは、２つの平行に並列されている第１及び第２のフレームストリップを有し、かつ当該第１及び第２のフレームストリップの２つの脇側には第１及び第２の側板がそれぞれ貼り付けられて、当該第１及び第２のフレームストリップと当該第１及び第２の側板との間に中空の収容スペースが形成され、当該収容スペースは、当該第１及び第２のフレームストリップの間の２つの脇側に当該第１及び第２の肉抜き部がそれぞれ形成されている請求項１１に記載のローラブル型ディスプレイスクリーンの構造。
【発明の詳細な説明】
【技術分野】
【０００１】
本発明は、ローラブル型ディスプレイスクリーンの構造に関し、特に、横方向移動可能な駆動部品により回転軸を駆動して移動させて、フレキシブルスクリーンの展開し及び折り畳みを行う技術手段に関する。
【背景技術】
【０００２】
より大きなサイズの大型スクリーン（又はテレビウォール）構造を形成するように、複数の表示装置（又はディスプレイスクリーン）を組み合わせて、別のビデオ出力を実現する技術手段は、周知の技術である。例えば、台湾の第９９１４１３８７号の「表示画面を自動的に切り替えるオールインワンディスプレイスクリーン」の特許出願、及び第１０２１４７２８７号の「接合指示に従ってディスプレイ画面を組み合わせるための表示デバイス及び方法」の特許出願などは、いずれも典型的な実施形態を提供した。
【０００３】
また、ＵＳ  ２００５／００８４６３  Ａ１「ＥＸＰＡＮＤＥＤ  ＤＩＳＰＬＡＹ  ＦＯＲ  ＣＥＬＬ  ＰＨＯＮＥ、  ＰＡＬＭ  ＰＩＬＯＴ  ＯＲ  ＣＯＭＰＵＴＥＲ」、ＵＳ  ７８４８０９１  Ｂ２「ＤＵＡＬ−ＳＣＲＥＥＮ  ＭＯＢＩＬＥ  ＤＩＳＰＬＡＹ  ＤＥＶＩＣＥ」、ＵＳ  ２０１２／０１８２２９５  Ａ１「ＰＥＲＳＯＮＡＬ  ＰＯＲＴＡＢＬＥ  ＣＯＭＭＵＮＩＣＡＴＩＯＮ  ＤＥＶＩＣＥＳ  ＷＩＴＨ  ＤＥＰＬＯＹＡＢＬＥ  ＤＩＳＰＬＡＹ  ＳＹＳＴＥＭＳ  ＦＯＲ  ＴＨＲＥＥ  ＤＩＭＥＮＳＩＯＮＡＬ  ＶＩＳＵＡＬ  ＲＥＰＲＥＳＥＮＴＡＴＩＯＮＳ  ＡＮＤ／ＯＲ  ＰＲＩＶＡＣＹ  ＡＮＤ  ＭＥＴＨＯＤＳ  ＯＦ  ＵＳＥ」などの特許出願では、複数の移動可能なスクリーンを応用し、回転軸の駆動により、ディスプレイを収納位置から展開位置に移動させる技術手段が開示された。
【０００４】
上記の参照データは従来のディスプレイスクリーン装置の構造と用途における様々な設計スキルを示した。しかし、実際の応用では、複数の表示装置（又はディスプレイスクリーン）を利用してより大きなサイズの大型スクリーン（又はテレビウォール）構造を合成する場合、各表示装置（又はディスプレイスクリーン）の間にギャップが生じることは避けられず、このような千鳥状のギャップは、当該大型スクリーン（又はテレビウォール）に表示される内容の完全性に影響するだけでなく、視聴者に視覚的な疲労を引き起こしやすく、応用上の欠陥となる。
【０００５】
フレキシブル（ソフト）ディスプレイの技術は徐々に成熟しており、それに伴って、面積の大きいフレキシブル（ソフト）ディスプレイが巻き上げられた後、小さい体積を有するという特徴を利用する場合、従来の欠陥が改善される。
【０００６】
従来の複数の表示装置（又はディスプレイスクリーン）を組み合わせて形成した大型スクリーン（又はテレビウォール）の構造が上記の欠陥を有することに鑑み、発明人はこれらの欠陥に対して改善策を研究し、本発明を完成した。
【発明の概要】
【発明が解決しようとする課題】
【０００７】
本発明は、ローラブル型ディスプレイスクリーンの構造を提供することを主な目的とし、当該ローラブル型ディスプレイスクリーンの構造は、フレキシブルスクリーンの少なくとも一側を少なくとも１つの回転軸の外周側に巻き付け、駆動部品により当該回転軸を駆動して往復横方向移動させて、当該フレキシブルスクリーンを外へ展開し又は内へ折り畳み、これにより、展開した後、面積が拡大された完全であるディスプレイスクリーンを形成し、折り畳んだ後、体積及び表示面積を効果的に縮小して、保管と携帯性を向上させることができる。
【０００８】
本発明は、ローラブル型ディスプレイスクリーンの構造を提供することを別の目的とし、当該ローラブル型ディスプレイスクリーンの構造は、駆動部品を収納可能なメインベースを有し、当該メインベースの少なくとも一方の脇側に肉抜き部がそれぞれ設けられ、肉抜き部の上、下方に対応してそれぞれガイド部品がそれぞれ設けられ、当該駆動部品に対して伸張及び折り畳みを案内するためのものであり、当該メインベースの外部には、当該肉抜き部の上、下方に翼部がそれぞれ設けられ、当該翼部は、内へ折り畳まれる場合、当該肉抜き部を遮蔽して、当該メインベース内の部品を保護することができ、これらの翼部は、外へ広げられる場合、予め設置されたガイドランナーで該回転軸の移動を案内して、当該フレキシブルスクリーンを所望の方向へ安定して展開することができる。
【０００９】
本発明は、ローラブル型ディスプレイスクリーンの構造を提供することを更に別の目的とし、当該ローラブル型ディスプレイスクリーンの構造では、それぞれの当該翼部は、ガイドランナーに対して当該メインベースから離れる一方の端に位置決め部がそれぞれ形成され、かつ各当該位置決め部は、各翼部が外へ広げられる場合、当該メインベースの２つの外側に平らに伸ばすことができ、これにより、当該フレキシブルスクリーンが完全に展開された後、当該回転軸は当該位置決め部に延び込んで、当該メインベースの前側（又は後側）との弾性オフセット空間を確保することができ、当該メインベースの異常な接触を回避できるとともに、駆動部品の外側に回転軸への弾性偏引き寄せ力を発生させ、常に当該フレキシブルスクリーンを引っ張って緊張状態を形成することで、弛みによる当該フレキシブルスクリーンのしわを効果的に解消することができる。
【課題を解決するための手段】
【００１０】
上記目的及び効果を達成するために、本発明に実施される技術手段は、外へ開放する肉抜き部を少なくとも有し、内部に当該肉抜き部の脇側に沿ってガイド部品がそれぞれ対称して設けられる中空のメインベースと、当該メインベース内に組み込まれ、当該ガイド部品に沿って当該メインベースの外まで移動して展開することができる少なくとも１つの駆動部品と、少なくとも１つの回転軸の外周側に巻き付けられるフレキシブルスクリーンとを含み、当該回転軸は、当該駆動部品に回動可能に設置され、優先的に当該メインベースの脇側から移出して連動を形成することができ、当該駆動部品が当該回転軸を連動させて当該ガイド部品に沿ってメインベースの外へ移動する場合、当該フレキシブルスクリーンを当該回転軸の外周側から徐々にリリースして外側に展開させることができる。
【００１１】
上記構造において、当該駆動部品は、当該駆動部品を駆動して当該ガイド部品に沿って移動させることができる動力源を有する。
【００１２】
上記構造において、当該メインベースは、２つの対向する第１及び第２の肉抜き部を有し、当該メインベースの内部には、当該第１の肉抜き部の２つの脇側に沿って２つの順方向ガイド部品が対称して設けられ、当該メインベース内部には、当該第２の肉抜き部の２つの脇側に沿って当該順方向ガイド部品とは逆方向に延びる２つの逆方向ガイド部品が対称して設けられ、２つの駆動部品は当該メインベース内に組み込まれ、各当該駆動部品は、動力源をそれぞれ有し、当該２つの駆動部品を駆動してそれぞれ当該正、逆方向ガイド部品に沿って移動させることができ、フレキシブルスクリーンは、両側が第１及び第２の回転軸の外周側にそれぞれ巻き付けられ、当該第１及び第２の回転軸は、当該２つの駆動部品の脇側にそれぞれ回動可能に設置されて連動を形成し、当該２つの駆動部品は当該第１及び第２の回転軸を連動させて当該正、逆方向ガイド部品に沿ってメインベースの外へ移動させる場合、当該フレキシブルスクリーンを当該第１及び第２の回転軸の外周側から徐々にリリースして外側に展開させることができる。
【００１３】
上記構造において、当該メインベースは、当該第１の肉抜き部の２つの脇側に第１の側翼部がそれぞれ枢設され、当該２つの第１の側翼部は、内へ折り畳まれて、当該第１の肉抜き部にカバーすることができ、その反対に、外へ展開して、当該第１の肉抜き部を開放することができ、当該第２の肉抜き部の２つの脇側に第２の側翼部がそれぞれ枢設され、当該２つの第２の側翼部は、内へ折り畳まれて、当該第２の肉抜き部にカバーすることができ、その反対に、外へ展開して、当該第２の肉抜き部を開放することができる。
【００１４】
上記構造において、当該２つの第１の側翼部には、折り畳む時、第１の肉抜き部の一側面に向けて、当該順方向ガイド部品の脇側に繋がる第１の側ガイドランナーがそれぞれ設けられ、これらの第１の側翼部が外へ水平に伸張する場合、当該第１の側ガイドランナーは、第１の回転軸の両端に対して当該順方向ガイド部品に繋がる摺動案内を形成することができ、当該２つの第２の側翼部には、折り畳む時、第２の肉抜き部の一側面に向けて、当該逆方向ガイド部品の脇側に繋がる第２の側ガイドランナーがそれぞれ設けられ、これらの第２の側翼部が外へ水平に伸張する場合、当該第２の側ガイドランナーは、第２の回転軸の両端に対して当該逆方向ガイド部品に繋がる摺動案内を形成することができる。
【００１５】
上記構造において、これらの第１及び第２のガイドランナーは、それぞれ当該メインベースから離れる一端に、オフセット空間を有する位置決め部が形成され、それぞれの当該位置決め部は端部が面一して当該メインベースの前又は後側の外へ突き出す。
【００１６】
上記構造において、それぞれの当該駆動部品は、当該動力源に駆動される１組の連動部品がそれぞれ設けられ、かつそれぞれの当該組の連動部品は、当該正、逆方向ガイド部品に組み込まれている。
【００１７】
上記構造において、当該正、逆方向ガイド部品は、それぞれ互いに反対方向に並べた正、逆方向ラックであり、これらの動力源はモータであり、これらの連動部品は、これらのモータに駆動され当該正、逆方向ラックに噛み合う出力ギアである。
【００１８】
上記構造において、当該２つの駆動部品は、それぞれ２つの並列したメインブラケットを有し、当該第１及び第２の回転軸は、それぞれ両端部に近い部位において回転軸ブラケットがそれぞれ枢設され、かつ当該第１の回転軸の回転軸ブラケットは、一方の駆動部品の２つのメインブラケットに枢着され、当該第２の回転軸の回転軸ブラケットは、他方の駆動部品の２つのメインブラケットに枢着され、かつそれぞれの当該回転軸ブラケットは、枢着されるメインブラケットに対して枢動の弾性を有し、当該第１及び第２の回転軸の回転軸ブラケットは当該フレキシブルスクリーンの両側に引張弾性を発生し、当該フレキシブルスクリーンは完全に展開した後緊張平坦状態を維持できることを確保する。
【００１９】
上記構造において、当該メインベースは、２つの平行に並列されている第１及び第２のフレームストリップを有し、かつ当該第１及び第２のフレームストリップの２つの脇側には第１及び第２の側板がそれぞれ貼り付けられて、当該第１及び第２のフレームストリップと当該第１及び第２の側板との間に中空の収容スペースが形成され、当該収容スペースは、当該第１及び第２のフレームストリップの間の２つの脇側に当該第１及び第２の肉抜き部がそれぞれ形成されている。
【００２０】
本発明の上記目的、効果及び特徴をより詳しく理解できるように、下記の図面を参照しながら説明する。
【図面の簡単な説明】
【００２１】
【図１】図１は本発明の分解構造の斜視図である。
【図２】図２は本発明のメインベースの組み合わせ構造図である。
【図３】図３は本発明の駆動部品及びフレキシブルスクリーン、第２のフレームストリップ等の局所構造模式図である。
【図４】図４は本発明の駆動部品及び回転軸等の分解構造図である。
【図５】図５は本発明の各翼部が折り畳まれている場合の組み合わせ構造図である。
【図６】図６は本発明の各翼部が外へ広げられている場合の状態の模式図である。
【図７】図７は図６の上面断面図である。
【図８】図８は本発明の２つの駆動部品が外へ当該フレキシブルスクリーンを広げる動作模式図である。
【図９】図９は図８の上面断面図である。
【図１０】図１０は本発明の２つの駆動部品が当該フレキシブルスクリーンを完全に広げている状態の模式図である。
【図１１】図１１は図１０の上面断面図である。
【発明を実施するための形態】
【００２２】
以下、図面及び実施例を参照しながら、本発明の具体的な実施形態を更に説明する。以下の実施例は本発明の技術案をより明確に説明するためのものに過ぎず、本発明の保護範囲を制限するためのものではない。
【００２３】
図１〜４図に示すように、本発明の主な構造は、メインベース１、２つの駆動部品２、４、及びフレキシブルスクリーン３を備え、当該メインベース１は、２つの平行に並列されている第１及び第２のフレームストリップ１１、１２を有し、当該第１及び第２のフレームストリップ１１、１２の２つの脇側には第１及び第２の側板１３、１４がそれぞれ貼り付けられて、当該第１及び第２のフレームストリップ１１、１２と当該第１及び第２の側板１３、１４との間に中空の収容スペースが形成され、当該収容スペースは、当該第１及び第２のフレームストリップ１１、１２の間において２つの脇側へ向けて、外へ開放している第１及び第２の肉抜き部１０１、１０２がそれぞれ形成されている。
【００２４】
当該第１のフレームストリップ１１内には順方向ガイド部品１１１（順方向ラックであってもよい）、及び当該順方向ガイド部品１１１とは逆方向に延びる逆方向ガイド部品１１２（逆方向ラックであってもよい）が設けられ、当該第１のフレームストリップ１１の両端部には第１及び第２の側翼部１５、１６がそれぞれ枢設され、当該第１及び第２の側翼部１５、１６には、それぞれ当該正、逆方向ガイド部品１１１、１１２の脇側に繋がる第１及び第２の側ガイドランナー１５１、１６１がそれぞれ設けられ、当該第２のフレームストリップ１２内には、当該正、逆方向ガイド部品１１１、１１２に対応する正、逆方向ガイド部品１２１、１２２（それぞれ正、逆方向ラックであってもよい）がそれぞれ設けられ、当該第２のフレームストリップ１２の両端部には、第１及び第２の側翼部１７、１８がそれぞれ枢設され、当該第１及び第２の側翼部１７、１８には、当該正、逆方向ガイド部品１２１、１２２の脇側に繋がる第１及び第２の側ガイドランナー１７１、１８１がそれぞれ設けられている。
【００２５】
１つの実現可能な実施例では、当該第１及び第２の側ガイドランナー１５１、１７１、１６１、１８１は、それぞれ、当該第１及び第２のフレームストリップ１１、１２から離れる一端に同一方向に向けて、曲がった位置決め部１５２、１７２、１６２、１８２が形成され、当該位置決め部１５２、１７２、１６２、１８２の端部は、面一して当該第１の側板１３（又は第２の側板１４）の前（又は後）側の外へ突き出した。
【００２６】
当該駆動部品２、４は、同じ構造を有し、当該メインベース１内に反対方向に組み込まれ、当該駆動部品２、４は、それぞれ動力源２１、４１、当該動力源２１、４１によって駆動される駆動部品２２、４２、当該駆動部品２２、４２により駆動される２つの連動部品２３、４３を有し、当該連動部品２３、４３は、当該順方向ガイド部品１１１、１２１及び当該逆方向ガイド部品１１２、１２２にそれぞれ連結され、かつ、当該２つの駆動部品２、４の脇側には反対方向に延びるメインブラケット２４、２５及び４４、４５がそれぞれ枢着されている。
【００２７】
１つの実現可能な実施例では、当該動力源２１、４１はモータであってもよく、且つそれぞれ動力を出力する駆動ギア２１１、４１１を有し、当該駆動部品２２、４２はシャフトであり、それぞれの当該シャフトの中間セクションには当該駆動ギア２１１、４１１と噛み合う連動ギア２２１、４２１が設けられ、これらの連動部品２３、４３はそれぞれの当該シャフトの両端部に設けられた出力ギアであり、かつ当該２つの連動部品２３（出力ギア）は当該２つの順方向ガイド部品１１１、１２１（順方向ラック）にそれぞれ噛み合い、当該２つの連動部品４３（出力ギア）は、当該逆方向ガイド部品１１２、１２２（出力ギア）にそれぞれ噛み合い、当該動力源２１、４１（モータ）により、当該駆動ギア２１１、４１１及び連動ギア２２１、４２１を介して当該駆動部品２２、４２（シャフト）を連動して回動させることで、当該連動部品２３、４３（出力ギア）を駆動して当該順方向ガイド部品１１１、１２１（順方向ラック）及び当該逆方向ガイド部品１１２、１２２（逆方向ラック）に回動させることができ、これにより、当該駆動部品２、４を当該順方向ガイド部品１１１、１２１（順方向ラック）及び当該逆方向ガイド部品１１２、１２２（逆方向ラック）方向に沿って移動させる。
【００２８】
当該フレキシブルスクリーン３は、中間セクションが当該第１の側板１３（又は第２の側板１４）の外側を通過し、かつ当該フレキシブルスクリーン３の両側が第１及び第２の回転軸３１、３２の外周側にそれぞれ巻き付けられ、当該第１及び第２の回転軸３１、３２は、それぞれ当該メインベース１内において当該第１及び第２の肉抜き部１０１、１０２の脇側に近く設けられ、当該第１の回転軸３１の両端は、それぞれ当該第１の側翼部１５、１７の第１の側ガイドランナー１５１、１７１の脇側まで延び、且つ当該第１の回転軸３１の両端に近い部位において回転軸ブラケット３１１、３１２の一方の端にそれぞれ枢設され、当該２つの回転軸ブラケット３１１、３１２の他方の端は当該２つのメインブラケット２４、２５の端部にそれぞれ枢着され、且つ当該２つの回転軸ブラケット３１１、３１２は、枢着される２つのメインブラケット２４、２５との間に枢動弾性を有するため、当該２つの回転軸ブラケット３１１、３１２は当該フレキシブルスクリーン３の一脇側に引張弾性を発生することができ、当該第２の回転軸３２の両端は、それぞれ当該第２の側翼部１６、１８の第２の側ガイドランナー１６１、１８１の脇側まで延び、且つ当該第２の回転軸３２の両端に近い部位において回転軸ブラケット３２１、３２２の一方の端にそれぞれ枢設され、当該２つの回転軸ブラケット３２１、３２２の他方の端は、当該２つのメインブラケット４４、４５の端部にそれぞれ枢着され、且つ当該２つの回転軸ブラケット３２１、３２２は、枢着される２つのメインブラケット４４、４５との間に枢動弾性を有するため、当該２つの回転軸ブラケット３２１、３２２は当該フレキシブルスクリーン３の一脇側に引張弾性を発生することができる。
【００２９】
図５〜図１１に示すように、本発明では、折り畳まれている場合、当該駆動部品２、４は当該メインベース１の収容スペース内に収納され、且つ当該２つの第１の側翼部１５、１７は当該第１の肉抜き部１０１の外側に貼合され、当該２つの第２の側翼部１６、１８は当該第２の肉抜き部１０２の外側に貼合され（図５に示す）、これにより、折り畳まれた後の全体的な構造の体積は最小になる。
使用の時、まずこれらの第１及び第２の側翼部１５、１７、１６、１８をそれぞれ外へ９０度枢動させると、これらの第１の側ガイドランナー１５１、１７１を順方向ガイド部品１１１、１２１に繋がり、これらの第２の側ガイドランナー１６１、１８１を逆方向ガイド部品１１２、１２２に繋がる（図６、７に示す）状態となる。
【００３０】
次に、当該２つの駆動部品２、４は、動力源２１、４１（モータ）により駆動部品２２、４２を介して連動部品２３、４３（出力ギア）を駆動して動作させ、これにより、当該駆動部品２が当該２つの順方向ガイド部品１１１、１２１に沿ってスリップすることができるとともに、当該第１の回転軸３１の両端がこれらの第１の側ガイドランナー１５１、１７１に沿って外へ移動するように駆動され、当該駆動部品４が当該２つの逆方向ガイド部品１１２、１２２に沿ってスリップすることができるとともに、当該第２の回転軸３２の両端がこれらの第２の側ガイドランナー１６１、１８１に沿って外へ移動するように駆動され、当該フレキシブルスクリーン３の両側は、当該第１及び第２の回転軸３１、３２の外への移動につれて徐々に展開することができる（図８、９に示す）。
【００３１】
最後に、当該駆動部品２、４は、それぞれ当該順方向ガイド部品１１１、１２１及び当該逆方向ガイド部品１１２、１２２において互いに離れた一端部まで移動した時、当該第１の回転軸３１の両端部は、それぞれ２つの第１の側ガイドランナー１５１、１７１から曲がって当該２つの位置決め部１５２、１７２内に嵌め込むことができ、且つ当該第２の回転軸３２の両端部は、それぞれ２つの第２の側ガイドランナー１６１、１８１から曲がって当該２つの位置決め部１６２、１８２内に嵌め込むことができ、これらの回転軸ブラケット３１１、３１２及び回転軸ブラケット３２１、３２２によりそれぞれ当該フレキシブルスクリーン３の２つの脇側に反対方向引張弾性を発生することができ、これにより、当該フレキシブルスクリーン３の両側は完全に展開して緊張平坦状態を維持することができるとともに、当該第１の側板１３（又は第２の側板１４）の外側が当該フレキシブルスクリーン３と接触して折り目を形成することがないように、当該完全に展開した後のフレキシブルスクリーン３は、当該第１の側板１３（又は第２の側板１４）の外表側との間に隙間を有する（図１０、１１に示す）。
【００３２】
本発明の上記構造では、必要に応じて、当該第１及び第２の回転軸３１、３２とこれらの回転軸ブラケット３１１、３１２、３２１、３２２との間に渦巻ばね（図示しない）をそれぞれ設置してもよく、当該第１及び第２の回転軸３１、３２が当該フレキシブルスクリーン３の両側を駆動して外へ徐々に展開させる時、各渦巻ばねは圧縮状態となり、当該第１及び第２の回転軸３１、３２が共同して内へ引くと、それぞれの当該渦巻ばねの回復弾性により当該第１及び第２の回転軸３１、３２を反対方向に回動させることができ、これにより当該フレキシブルスクリーン３を巻き上げて元の折り畳まれている状態に回復させる。
【００３３】
上記構造が実際に応用される場合、当該駆動部品４（又は駆動部品２）及び第２の回転軸３２（又は第１の回転軸３１）を直接省略して、当該フレキシブルスクリーン３の当該第１の回転軸３１（又は第２の回転軸３２）から離れる一側を当該メインベース１内部において当該第２の肉抜き部１０２（又は第１の肉抜き部１０１）に近い部位に位置決めしてもよく、当該駆動部品２（又は駆動部品４）により当該第１の回転軸３１（又は第２の回転軸３２）のみを駆動して外へ移動させることで、同様に、当該フレキシブルスクリーン３を展開する効果も達成することができる。
【００３４】
以上のように、本発明に係るローラブル型ディスプレイスクリーンの構造は、従来のものと異なる構造形態を有するとともに、より簡単な動作でより完全な表示効果を得ることができ、新規性及び進歩性を有する発明であるため、法律に基づいて発明特許出願を提出する。ただし、上記明細書の内容は、本発明の好適な実施例を説明するためのものに過ぎず、本発明の技術手段及び範囲に従って加えた変化、修正、変更又は同等の交換したものは、いずれも本発明の特許出願の範囲内に含まれる。
【符号の説明】
【００３５】
１      メインベース
１１    第１のフレームストリップ
１１１、１２１    順方向ガイド部品
１１２、１２２    逆方向ガイド部品
１２    第２のフレームストリップ
１３    第１の側板
１４    第２の側板
１０１    第１の肉抜き部
１０２    第２の肉抜き部
１５、１７    第１の側翼部
１６、１８    第２の側翼部
１５１、１７１    第１の側ガイドランナー
１６１、１８１    第２の側ガイドランナー
１５２、１６２、１７２、１８２    位置決め部
２、４  駆動部品
２１、４１    動力源
２１１、４１１    駆動ギア
２２、４２  駆動部品
２２１、４２１    連動ギア
２３、４３    連動部品
２４、２５、４４、４５    メインブラケット
３  フレキシブルスクリーン
３１    第１の回転軸
３２    第２の回転軸
３１１、３１２、３２１、３２２    回転軸ブラケット
【図１】
2021513669.tif 000003
【図２】
2021513669.tif 000004
【図３】
2021513669.tif 000005
【図４】
2021513669.tif 000006
【図５】
2021513669.tif 000007
【図６】
2021513669.tif 000008
【図７】
2021513669.tif 000009
【図８】
2021513669.tif 000010
【図９】
2021513669.tif 000011
【図１０】
2021513669.tif 000012
【図１１】
2021513669.tif 000013
【国際調査報告】
2021513669.tif 000014
2021513669.tif 000015
2021513669.tif 000016
2021513669.tif 000017